(57)【要約】【課題】表示装置に異常が生じた場合であっても、見る方向を変えることなく、表示品位の低下が少ない表示を見ることができる表示装置。【解決手段】表示バリアパネル（３０）には、対向する二枚の基板（３１・３２）と、二枚の基板（３１・３２）に挟持されたコレステリック液晶層（３３）と、コレステリック液晶層（３３）に電圧を印加するために二枚の基板（３１・３２）の各々に設けられた電極（３４・３５）とが備えられており、二枚の基板（３１・３２）のうちの少なくとも一枚における、コレステリック液晶層（３３）に面する面には、ストライプ状の光吸収層（４３）が設けられている。【選択図】図１
2008224910.tif 000002
【特許請求の範囲】
【請求項１】
表示パネルと、前記表示パネルの前面に設けられた表示バリアパネルとが備えられた表示装置であって、
前記表示バリアパネルには、対向する二枚の基板と、前記二枚の基板に挟持されたコレステリック液晶層と、前記コレステリック液晶層に電圧を印加するために前記二枚の基板の各々に設けられた電極とが備えられており、
前記二枚の基板のうちの少なくとも一枚における、前記コレステリック液晶層に面する面には、ストライプ状の光吸収部が設けられていることを特徴とする表示装置。
【請求項２】
前記電極は、前記二枚の基板に各々ストライプ状に設けられており、前記二枚の基板のうちの一方の基板に形成された電極と、他方の基板に形成された電極とが、互いに直交していることを特徴とする請求項１に記載の表示装置。
【請求項３】
前記光吸収部は、前記基板上にストライプ状に設けられた底部と、
前記ストライプ状の底部の長辺方向における両端辺に、その長辺方向の全辺にわたって、前記基板に対して垂直方向に、前記底部が設けられた基板と対向する基板に接する高さまで設けられた壁部とを有することを特徴とする請求項１に記載の表示装置。
【請求項４】
前記ストライプ状の光吸収部の、ストライプの長手方向に直交する面における断面形状が、凹形状であることを特徴とする請求項３に記載の表示装置。
【請求項５】
前記光吸収部は、前記基板上にストライプ状に設けられた底部と、
前記ストライプ状の底部の長辺方向における両端辺と、短辺方向の中心部分との各々に、その長辺方向の全辺にわたる長さで、前記基板に対して垂直方向に、前記底部が設けられた基板と対向する基板に接する高さまで設けられた壁部とを有し、
前記光吸収部の底部上のコレステリック液晶層である第１コレステリック液晶部は、
前記底部と、前記両端辺のうちの一方の端辺に設けられた壁部と、前記中心部分に設けられた壁部とによって囲まれたコレステリック液晶部分と、
前記底部と、前記両端辺のうちの他方の端辺に設けられた壁部と、前記中心部分に設けられた壁部とによって囲まれたコレステリック液晶部分とに分割されており、
前記２つのコレステリック液晶部分には、互いに異なる色の光を吸収する光吸収物質が配合されており、
隣接する２つの前記コレステリック液晶部分に挟まれたコレステリック液晶層である第２コレステリック液晶部と、
前記第２コレステリック液晶部を挟む２つの前記コレステリック液晶部分とには、同じ色の光を吸収する光吸収物質が配合されていることを特徴とする請求項１に記載の表示装置。
【請求項６】
前記表示パネルの表示状態を判断する表示状態判断部と、
前記表示状態判断部の判断に基づいて前記表示パネルと前記表示バリアパネルとの表示内容を制御する表示制御部とを有し、
前記表示状態判断部の、前記表示パネルの表示状態が異常であるとの判断に基づいて、前記表示制御部が、本来前記表示パネルに表示される内容が表示バリアパネルに表示されるように、表示バリアパネルに表示される内容を制御することを特徴とする請求項１に記載の表示装置。
【請求項７】
操縦可能な移動体に搭載され、前記移動体の操縦に必要な情報が、表示内容として表示されることを特徴とする請求項１に記載の表示装置。
【請求項８】
表示パネルと、前記表示パネルの前面に設けられた表示バリアパネルとが備えられ、
前記表示バリアパネルには、対向する二枚の基板と、前記二枚の基板に挟持されたコレステリック液晶層と、前記コレステリック液晶層に電圧を印加するために前記二枚の基板の各々に設けられた電極とが備えられており、
前記二枚の基板のうちの少なくとも一枚における、前記コレステリック液晶層に面する面には、ストライプ状の光吸収部が設けられている表示装置における表示方法であって、
前記表示パネルの表示状態を判断する表示状態判断ステップと、
前記表示状態判断ステップにおける判断結果が異常である場合に、本来前記表示パネルに表示される表示内容が表示バリアパネルに表示されるように、表示バリアパネルに表示される内容を制御する表示制御ステップとを有することを特徴とする表示方法。
【請求項９】
請求項８に記載の表示方法を実行するための表示制御プログラムであって、コンピュータに前記の各ステップを実行させるための表示制御プログラム。
【請求項１０】
請求項９に記載の表示制御プログラムを記録したコンピュータ読み取り可能な記録媒体。
【発明の詳細な説明】
【技術分野】
【０００１】
本発明は、表示装置、及び、表示方法などに関する。特には、自動車や電車等の車両、航空機、及び、船舶などの操縦可能な移動体に用いられる表示装置及び表示方法などに関する。
【背景技術】
【０００２】
近年、操縦可能な移動体には、車速やエンジンの回転数等の車両状態情報や、ナビゲーション画像等の操縦を支援するための付加情報を表示する移動体用表示装置が用いられている。
【０００３】
この移動体用表示装置は、従来、移動体用表示装置の表示面に対する垂直方向を中心とする一方向に静止画・動画などの画像や、文字などからなる情報を表示する、シングルビュー表示モードの表示装置として用いられていた。
【０００４】
そして、近年、前記シングルビュー表示モードに加えて、前記表示面に対する垂直方向に対しての左方向、及び、右方向にそれぞれ異なる情報を表示するデュアルビュー表示モードが可能となった表示装置が、移動体用表示装置として採用されている。
【０００５】
このデュアルビュー表示モードに関する技術としては、いくつかの技術が提案されている。以下、具体的に説明する。
【０００６】
（特許文献１）
特許文献１には、レンズ方式の表示装置について記載されている。以下、図５に基づいて説明する。図５は、特許文献１に記載されたレンズ方式の表示装置の概略構成を示す図である。
【０００７】
図５に示すように、特許文献１に記載されたデュアルビュー表示が可能な表示装置１１０は、液晶表示パネル１２０と、前記液晶表示パネル１２０の表示面上に配置されたレンズ１３０と、前記液晶表示パネル１２０の裏面に配置される光源１４０とを有している。そして、前記光源１４０から出射された光は、前記液晶表示パネル１２０を通過した後、前記レンズ１３０を介して、前記表示面に対する垂直方向に対して左方向及び右方向（図５の矢印参照）に振り分けられる。言い換えると、前記表示装置１７０では、液晶表示パネル１２０から、同時に、左方向及び右方向のそれぞれの方向に光が出射される。
【０００８】
そして、シングルビュー表示モードとデュアルビュー表示モードの切り換えは、左方向に出射される光によって表示される表示内容と、右方向に出射される光によって表示される表示内容とを切り換えることによって、可能となる。
【０００９】
すなわち、前記左方向に表示される表示内容と、右方向に表示される表示内容とを、異なる内容とすることによって、２方向に異なる情報を同時に表示するデュアルビュー表示を行うことができる。
【００１０】
他方、前記左方向に表示される表示内容と、右方向に表示される表示内容とを、同じ情報にすることによって、シングルビュー表示を行うこともできる。
【００１１】
なお、前記構成によるデュアルビュー表示では、一つの表示面で、左方向及び右方向の二方向に対しての表示を行うので、言い換えると一つの画面で２画面分の表示を行うことになるため、解像度が１／２となる。
【００１２】
（特許文献２）
また、特許文献２に記載された表示装置（液晶表示素子）においても、前記特許文献１に記載された表示装置と同様に、レンズ（マイクロプリズム）を用いて、デュアルビュー表示が実現されている。
【００１３】
（特許文献３）
また、特許文献３には、前記特許文献１及び特許文献２に記載されたレンズ方式の表示装置とは異なり、バリア方式によってデュアルビュー表示が可能な表示装置について記載されている。
【００１４】
このバリア方式の表示装置においては、不透明な領域によって隔たれた垂直な透光性スリットが複数個設けられたバリア層が、前記レンズの換わりに液晶表示パネルの前面に配置されている。そして、前記バリア層の透光性スリットと、液晶表示パネルの画素とが位置合わせされることによって、左方向と右方向とに異なる内容を表示している。
【００１５】
具体的には、例えば、液晶表示パネルの奇数列の画素を透過してきた光を、複数の透光性スリットを介して左方向に射出されるようにし、他方、偶数列の画素を透過してきた光を、複数の透光性スリットを介して右方向に射出されるようにすることによって、異なる内容の表示を行うことができる。
【００１６】
以下、図６に基づいて、具体的に説明する。図６は、特許文献３に記載されたバリア方式の表示装置の概略構成を示す図である。
【００１７】
図６に示すように、特許文献３に記載のデュアルビュー表示が可能な表示装置１１０は、液晶表示パネル１２０と、液晶表示パネル１２０の表示面上に配置されたバリア層１３５と、前記液晶表示パネル１２０の裏面に配置される光源１４０とを有している。そして、前記光源１４０から出射された光は、前記液晶表示パネル１２０を通過した後、前記バリア層１３５を介して、前記表示面に対する垂直方向に対して左方向及び右方向に振り分けられる（図６の矢印参照）。
【００１８】
具体的には、液晶表示パネル１２０の画素には、左方向に位置する者（例えば同乗者など）に対して示す内容が表示される左表示用画素１２５と、右方向に位置する者（例えば運転者など）に対して示す内容が表示される右表示用画素１２７とが含まれている。
【００１９】
そして、前記左表示用画素１２５と右表示用画素１２７とは交互に設けられており、光源１４０からの光のうち、前記左表示用画素１２５を透過した光は、前記バリア層１３５を介して左方向（例えば同乗者側の方向）へ出射され、他方、前記右表示用画素１２７を透過した光は、前記バリア層１３５を介して右方向（例えば同乗者側の方向）へ出射される。これによって、デュアルビュー表示を可能としている。
【００２０】
（特許文献４）
また、特許文献４には、バリア層にコレステリック液晶を用いる技術が記載されている。特許文献４に記載されたバリア方式の表示装置の概略構成を示す図７に基づいて説明する。図７に示すように、特許文献４に記載された表示装置１１０は、前記特許文献３に記載された表示装置１１０と同様に、液晶表示パネル１２０と、液晶表示パネル１２０の表示面上に配置されたバリア層１３５と、前記液晶表示パネル１２０の裏面に配置された光源１４０とを有している。そして、特許文献４に記載の表示装置１１０では、前記バリア層１３５が、スイッチング可能なコレステリック液晶層として形成されている。
【００２１】
具体的には、前記バリア層１３５は、液晶表示パネル１２０の２枚の透明基板の内で、前記光源１４０に面さない方の透明基板１５３の表面に設けられたＩＴＯ（Ｉｎｄｉｕｍ  Ｔｉｎ  Ｏｘｉｄｅ）からなる透明電極１５５と、この透明電極１５５上にストライプ形状に形成されたコレステリック液晶からなるバリア膜１５０と、前記透明電極１５５とバリア膜１５０とを覆うように形成された被覆膜１５７とによって構成されている。
【００２２】
そして、シングルビュー表示モードとデュアルビュー表示モードとの切り換えは、前記バリア膜１５０と透明状態にするか、あるいは、散乱状態にするかによって切り換える。
【００２３】
詳しくは、シングルビュー表示モードとするには、バリア膜１５０を加熱し、散乱状態（バリア状態）から透明状態へ遷移させる。具体的には、まず、透明電極１５５に電流を流し、透明電極１５５を発熱させる。そして、透明電極１５５の熱が、前記バリア膜１５０に伝わることによってバリア膜１５０が加熱され、バリア膜１５０が散乱状態から透明状態へ遷移する。
【００２４】
一方、デュアルビュー表示モードとするには、バリア膜１５０を冷却し、透明状態から散乱状態（バリア状態）へ遷移させる必要がある。具体的には、透明電極１５５に電流を流すことを止め、透明電極１５５の発熱を止める。そして、バリア膜１５０を冷却して、透明状態であったバリア膜１５０を散乱状態（バリア状態）に遷移させる。
【００２５】
以上のように、特許文献４に記載された構成では、透明電極１５５を用いてバリア膜１５０の状態を制御することによって、ストライプ形状のスリットを必要に応じて形成する。そして、このスリットをバリア層１３５として、前記液晶表示パネル１２０を通過した光を前記表示面に対する垂直方向に対して左方向と右方向とに振り分けたり、垂直方向に出射させたりして、所望の表示モード（デュアルビュー表示モード又はシングルビュー表示モード）を実現している。
【００２６】
（特許文献５）
前記デュアルビュー表示モードが可能となった表示装置が、操縦可能な移動体に用いられた場合、移動体の運転者などは、前記表示装置（移動体用表示装置）を介して、運転等に必要な情報を得ることが可能である。
【００２７】
しかしながら、前記移動体用表示装置が故障するなどによって、情報表示が困難となった場合には、操縦可能な移動体の安全運転継続に支障をきたす可能性がある。
【００２８】
そこで、前記移動体用表示装置の故障などによって情報表示が困難となった場合でも、安全運転の継続を可能とするフェールセーフ技術が、特許文献５及び特許文献６に記載されている。
【００２９】
以下、図８に基づいて特許文献５に記載された技術について説明する。図８は、特許文献５に記載された従来技術を示すものであり、車両のインパネ表示システムの概略構成を示すブロック図である。
【００３０】
図８に示すように特許文献５に記載された自動車には、３個の移動体用表示装置（移動体用表示装置１６１・１６２・１６３）が搭載されており、それぞれの移動体用表示装置１６１・１６２・１６３には、液晶表示パネル１６４・１６５・１６６と、光源１６７・１６８・１６９と、フォトセンサ１７０・１７１・１７２と、切替え手段１７３・７４・７５とが備えられている。
【００３１】
そして、前記切替え手段１７３・１７４・１７５には、それぞれ、切替え端子と入力端子とが備えられている。
【００３２】
また、前記光源１６７・１６８・１６９の発光状態は、それぞれの光源１６７・１６８・１６９に対応したフォトセンサ１７０・１７１・１７２によって検出され、その検出結果は制御回路１７６に伝達される。
【００３３】
そして、検出結果が伝達された前記制御回路１７６は、切替え手段１７３・１７４・１７５の切替え端子（図示せず）に接続されている。また、この切替え手段１７３・１７４・１７５には、映像ユニット１７７が接続されている。
【００３４】
そして、前記映像ユニット１７７は前記移動体用表示装置１６１・１６２・１６３に対して、前記移動体用表示装置１６１・１６２・１６３が表示する情報の出力を行うが、前記映像ユニット１７７では情報の重要度を設定している。具体的には、前記情報を、最も重要度の高い重要度１、次いで重要度２、最も重要度の低い重要度３のいずれかにランク付けしており、その前記重要度によって、前記情報をグループ分けしている。
【００３５】
そして、制御回路１７６は、切替え手段１７３・１７４・１７５を制御することによって、液晶表示パネル１６４・１６５・１６６にそれぞれ異なる重要度の情報を供給している。
【００３６】
具体的には、液晶表示パネル１６４に前記重要度１の情報を表示させる場合には、全情報（重要度１の情報、重要度２の情報及び重要度３の情報）のうち、重要度１の情報のみが液晶表示パネル１６４に供給されるように、前記制御回路１７６が切替え手段１７３を制御する。
【００３７】
このとき制御回路１７６は、液晶表示パネル１６５に映像ユニット１７７から重要度２の情報が供給されるよう切替え手段１７４を制御するとともに、あわせて、液晶表示パネル１６６に映像ユニット１７７から重要度３の情報が供給されるよう切替え手段１７４を制御する。
【００３８】
そして、例えば、重要度が最も高い重要度１の情報を表示する移動体用表示装置１６１のフォトセンサ１７０が光源１６７の異常を検出すると、制御回路１７６は、これまで重要度２の情報を表示していた移動体用表示装置１６２に、重要度１の情報を表示するように切替え手段１７４を制御する。
【００３９】
これによって、移動体用表示装置１６２には、異常が検出された移動体用表示装置１６１にかわって、重要度１の情報が表示されるようになる。さらに、これまで移動体用表示装置１６２が表示していた重要度２の情報は、制御回路１７６が切替え手段１７５を制御することで、移動体用表示装置１６３に表示されるようになる。
【００４０】
以上の構成によって、特許文献５に記載された技術では、前記移動体用表示装置の故障などによって情報表示が困難となった場合でも、安全運転の継続を可能とするフェールセーフ技術を実現している。
【００４１】
（特許文献６）
つぎに、特許文献６に記載された技術について、図９に基づいて説明する。図９は、特許文献６に記載された従来技術を示すものであり、車両のインパネ表示システムの概略構成を示すブロック図である。
【００４２】
図９に示すように、特許文献６に記載された自動車には、３個の移動体用表示装置１８０・１８１・１８２が搭載されている。そして、各々の
移動体用表示装置１８０・１８１には、それぞれ液晶表示パネル１８３・１８４と、前記液晶表示パネル１８３・１８４を制御するための表示制御プログラムを記憶するメモリ（図示せず）とが備えられている。また、移動体用表示装置１８２には、ヘッドアップ表示装置１８５と、前記ヘッドアップ表示装置１８５を制御するための表示制御プログラムを記憶するメモリ（図示せず）とが備えられている。
【００４３】
さらに、３個の移動体用表示装置１８０・１８１・１８２は、それらを制御するための制御部１８６と接続されている。
【００４４】
そして、例えば、移動体用表示装置１８０の液晶表示パネル１８３が故障した場合、移動体用表示装置１８１の液晶表示パネル１８４には、移動体用表示装置１８０の故障を示す情報が表示される。その後、前記制御部１８６は、液晶表示パネル１８４に対してすでに表示されている情報とともに、液晶表示パネル１８３で表示されていた情報の同時表示を行い、運転に支障をきたさないようドライバに必要な情報の表示を行う。
【００４５】
以上の構成によって、特許文献６に記載された技術では、前記移動体用表示装置の故障などによって情報表示が困難となった場合でも、安全運転の継続を可能とするフェールセーフ技術を実現している。
【特許文献１】特開平６−１８６５２６号公報（１９９４年７月８日公開）
【特許文献２】特開平１１−１３３４０３号公報（１９９９年５月２１日公開）
【特許文献３】特開２００５―７８０７６号公報（２００５年３月２４日公開）
【特許文献４】特開平８−１０６０７０号公報（１９９６年４月２３日公開）
【特許文献５】特開平１０−１２９３００公報（１９９８年５月１９日公開）
【特許文献６】特開２００４−２４９８３６公報（２００４年９月９日公開）
【発明の開示】
【発明が解決しようとする課題】
【００４６】
しかしながら、前記従来の構成では、表示装置が故障などしたとき、必要な情報を得にくく、例えば移動体用表示装置が備えられた移動体を操縦する者にとって、安全性が低下するという問題点がある。
【００４７】
すなわち、前記特許文献５に記載された技術では、複数の移動体用表示装置のうち一つの移動体用表示装置に異常が検出されると、異常が検出された移動体用表示装置に表示されていた情報は、この情報よりも重要度が下位の情報を表示する移動体用表示装置によって、下位の情報にかわって表示されることになる。すなわち、表示位置の変更が生じる。このため、移動体用表示装置に異常が検出される毎に、表示位置が変更され、いずれの位置に表示されているのか非常に分かりにくく、また、表示装置を見る角度が変わるので、表示がみにくくなるという問題があった。その結果、例えば、表示装置が、移動体に用いられた場合、移動体操縦の安全性、例えば車のドライバの運転中の安全性が低下する可能性があるという問題点があった。
【００４８】
また、前記特許文献５に記載された技術では、移動体用表示装置の備えるセンサが異常を検出すると、異常が検出された移動体用表示装置における正常表示が可能な領域を用いて、表示を継続することが可能であった場合においても、他の移動体用表示装置が前記の代替表示を行う。したがって、例えば車のドライバが得ることができる情報が大幅に減少する可能性があるという問題点がある。
【００４９】
また、前記特許文献６に記載された技術では、複数の移動体用表示装置が備えられた車両用表示システムにおいて、複数の移動体用表示装置うちの一つの移動体用表示装置における液晶表示パネル（表示部）の表示動作状態に異常が検出されたとき、前記の通り、当該一の表示部に表示されていた表示内容は、他の移動体用表示装置の表示部に複合的に表示されるようになる。
【００５０】
そのため、異常が生じた移動体用表示装置の一部が表示を継続することが可能であった場合においても、表示されていた表示内容は他の移動体用表示装置に複合的に表示されるので、表示位置が著しく変更され、いずれの位置に表示されているのか非常に分かりにくいという問題点がある。さらに、表示が他の表示内容と複合的に行われるので、表示が見にくいという問題点がある。その結果、ドライバの運転中の安全性を低下させる可能性があった。
【００５１】
本発明は前記の課題に鑑みなされたものであり、デュアルビュー表示モードを備えた表示装置において、表示装置の表示パネルに異常が生じた場合であっても、観者が、見る方向を変えることなく、表示品位の低下が少ない表示を見ることができる表示装置、表示方法、表示制御プログラム、及び、コンピュータ読み取り可能な記録媒体表示装置を実現することを目的とする。
【課題を解決するための手段】
【００５２】
本発明の表示装置は、前記課題を解決するために、表示パネルと、前記表示パネルの前面に設けられた表示バリアパネルとが備えられた表示装置であって、前記表示バリアパネルには、対向する二枚の基板と、前記二枚の基板に挟持されたコレステリック液晶層と、前記コレステリック液晶層に電圧を印加するために前記二枚の基板の各々に設けられた電極とが備えられており、前記二枚の基板のうちの少なくとも一枚における、前記コレステリック液晶層に面する面には、ストライプ状の光吸収部が設けられていることを特徴としている。
【００５３】
前記の構成によれば、表示パネルの前面に表示バリアパネルが備えられている。そして、前記表示バリアパネルには、ストライプ状の光吸収部が形成されているので、表示パネルの前面にスリット状の光遮蔽部分を設けることができる。
【００５４】
また、前記表示バリアパネルに備えられた液晶層がコレステリック液晶層であるので、コレステリック液晶層に印加する電圧を制御することによって、前記液晶層を透明にすることができる。
【００５５】
以上より、前記光吸収部が設けられている部分においては、表示パネルから出射された光が遮断され、他方、前記光吸収部が設けられていない部分においては、表示パネルから出射された光を、前記表示バリアパネルを透過させ、そのまま表示装置から外部に出射させることができる。
【００５６】
したがって、前記の構成によれば、例えば前記表示パネルに２種類の画像を表示した場合、表示装置を見る角度によって見える画像を異ならすことができるので、デュアルビュー表示が可能となる。
【００５７】
また、前記表示バリアパネルに備えられた液晶層がコレステリック液晶層であるので、コレステリック液晶層に印加する電圧を制御することによって、表示装置の外部から表示装置に対して照射された光を反射させることができる。したがって、前記表示パネルでの画像の表示ができない場合であっても、前記表示バリアパネルのみで、外光を用いての反射表示によって、画像の表示を行うことができる。
【００５８】
よって、表示装置の観者は、表示パネルに異常が生じて表示パネルによる画像の表示ができなくなった場合でも、同じ方向を見たままの状態で、画像を見続けることができる。
【００５９】
また、前記表示バリアパネルには、前記表示パネルに表示されていた画像のみを表示することができるので、言い換えると、他の画像と混在することなく所望の画像を表示することができるので、前記表示パネルに表示されていた場合に対しての表示品位の低下を抑制することができる。
【００６０】
以上のように、前記構成では、デュアルビュー表示モードを備えた表示装置において、表示装置の表示パネルに異常が生じた場合であっても、観者が、見る方向を変えることなく、表示品位の低下が少ない表示を見ることができるという効果を奏する。
【００６１】
また、本発明の表示装置は、前記電極は、前記二枚の基板に各々ストライプ状に設けられており、前記二枚の基板のうちの一方の基板に形成された電極と、他方の基板に形成された電極とが、互いに直交していることが好ましい。
【００６２】
前記の構成によれば、前記表示バリアパネルのコレステリック液晶層に印加する電圧に関して、平面視においてマトリクス状に分割された各々の領域単位毎に、印加する電圧を制御することができる。
【００６３】
したがって、前記表示バリアパネルのみを用いて画像を表示する際、より表示品位の高い、高精細の表示をすることができる。
【００６４】
また、本発明の表示装置は、前記光吸収部は、前記基板上にストライプ状に設けられた底部と、前記ストライプ状の底部の長辺方向における両端辺には、その長辺方向の全辺にわたって、前記基板に対して垂直方向に、前記底部が設けられた基板と対向する基板に接する高さまで設けられた壁部とを有することが好ましい。
【００６５】
また、本発明の表示装置は、前記ストライプ状の光吸収部の、ストライプ状の長辺方向に直交する面における断面形状が、凹形状であることが好ましい。
【００６６】
前記の構成によれば、光吸収部が設けられた領域のコレステリック液晶層と、光吸収部が設けられていない領域のコレステリック液晶層とを分離することができる。したがって、各々のコレステリック液晶層の物性を異なったものとすることができる。
【００６７】
具体的には、例えば、各々のコレステリック液晶層が吸収する光の色を異なった色にすることができる。そして、このような構成では、前記表示バリアパネルによって表示される画像を簡易な構成でカラー画像にすることができる。
【００６８】
あるいは、各々のコレステリック液晶層の透過率や反射率などを、使用環境に応じて最適化することができる。
【００６９】
また、本発明の表示装置は、前記光吸収部は、前記基板上にストライプ状に設けられた底部と、前記ストライプ状の底部の長辺方向における両端辺と、短辺方向の中心部分との各々に、その長辺方向の全辺にわたる長さで、前記基板に対して垂直方向に、前記底部が設けられた基板と対向する基板に接する高さまで設けられた壁部とを有し、前記光吸収部の底部上のコレステリック液晶層である第１コレステリック液晶部は、前記底部と、前記一の端辺に設けられた壁部と、前記中心部分に設けられた壁部とによって囲まれたコレステリック液晶部分と、前記底部と、前記両端辺のうちの他方の端辺に設けられた壁部と、中心部分に設けられた壁部とによって囲まれたコレステリック液晶部分とに分割されており、前記２つのコレステリック液晶部分には、互いに異なる色の光を吸収する光吸収物質が配合されており、隣接する２つの前記コレステリック液晶部分に挟まれたコレステリック液晶層である第２コレステリック液晶部と、前記第２コレステリック液晶部を挟む２つの前記コレステリック液晶部分とには、同じ色の光を吸収する光吸収物質が配合されていることが好ましい。
【００７０】
前記の構成によれば、表示パネルによって画像を表示する場合、及び、表示バリアパネルによって画像を表示する場合のいずれの場合にも、表示品位の高いカラー表示を行うことができる。
【００７１】
すなわち、表示パネルによって画像を表示する場合には、表示パネルから出射された光は、第２コレステリック液晶部を透過して、表示装置の外部に出射される。その際、前記の構成によれば、表示パネルから出射される光の色と、その光が透過する第２コレステリック液晶部の両側にある第１コレステリック液晶部（詳しくはコレステリック液晶部分）が吸収する色の補色とが一致する。したがって、表示パネルから出射される光と、表示バリアパネルから反射される光の色とが同じなので、色交じりが生じにくく、その結果、表示品位の高いカラー表示が可能である。
【００７２】
また、表示バリアパネルによって画像を表示する場合には、第１コレステリック液晶部及び第２コレステリック液晶部の両液晶部で反射表示が行われる。その際、前記の構成によれば、第２コレステリック液晶部と、その両側にある第１コレステリック液晶部（詳しくはコレステリック液晶部分）とが、同じ色の光を吸収する。言い換えると、同じ色の光を反射する。したがって、表示品位の高いカラー表示が可能となる。
【００７３】
また、本発明の表示装置は、前記表示パネルの表示状態を判断する表示状態判断部と、前記表示状態判断部の判断に基づいて前記表示パネルと前記表示バリアパネルとの表示内容を制御する表示制御部とを有し、前記表示状態判断部の、前記表示パネルの表示状態が異常であるとの判断に基づいて、前記表示制御部が、本来前記表示パネルに表示される内容が表示バリアパネルに表示されるように、表示バリアパネルに表示される内容を制御することが好ましい。
【００７４】
前記構成によれば、表示状態を判断する表示状態判断部と、表示バリアパネルなどの表示内容を制御する表示制御部とが備えられているので、表示パネルに異常が生じた場合に、より確実にフェールセーフを実現することができる。
【００７５】
また、本発明の表示装置は、操縦可能な移動体に搭載され、前記移動体の操縦に必要な情報が、表示内容として表示されることが好ましい。
【００７６】
前記構成によれば、表示パネルなどに異常が生じた場合であっても、移動体の操縦に必要な情報を、操縦者が入手し続けることができるので、移動体の操縦がより安全なものとなる。
【００７７】
また、本発明の表示方法は、前記課題を解決するために、表示パネルと、前記表示パネルの前面に設けられた表示バリアパネルとが備えられ、前記表示バリアパネルには、対向する二枚の基板と、前記二枚の基板に挟持されたコレステリック液晶層と、前記コレステリック液晶層に電圧を印加するために前記二枚の基板の各々に設けられた電極とが備えられており、前記二枚の基板のうちの少なくとも一枚における、前記コレステリック液晶層に面する面には、ストライプ状の光吸収部が設けられている表示装置における表示方法であって、前記表示パネルの表示状態を判断する表示状態判断ステップと、前記表示状態判断ステップにおける判断結果が異常である場合に、本来前記表示パネルに表示される表示内容が表示バリアパネルに表示されるように、表示バリアパネルに表示される内容を制御する表示制御ステップとを有することを特徴とする。
【００７８】
前記方法によれば、前記表示パネルに表示の異常が生じた場合に、本来表示パネルに表示される情報を、前記表示バリアパネルに表示するこが可能となり、フェールセーフを同一の表示装置において実現することが可能となる。
【００７９】
また、本発明の表示制御プログラムは、前記表示方法を実行するための表示制御プログラムであって、コンピュータに前記の各ステップを実行させることを特徴とする。
【００８０】
また、本発明の表示制御プログラムを記録したコンピュータ読み取り可能な記録媒体は、前記課題を解決するために、前記表示制御プログラムが記録されている。
【発明の効果】
【００８１】
本発明の表示装置は、以上のように、表示バリアパネルには、対向する二枚の基板と、前記二枚の基板に挟持されたコレステリック液晶層と、前記コレステリック液晶層に電圧を印加するために前記二枚の基板の各々に設けられた電極とが備えられており、前記二枚の基板のうちの少なくとも一枚における、前記コレステリック液晶層に面する面には、ストライプ状の光吸収部が設けられているので、デュアルビュー表示モードを備えた表示装置において、表示装置の表示パネルに異常が生じた場合であっても、観者が、見る方向を変えることなく、表示品位の低下が少ない表示を見ることができるという効果を奏する。
【発明を実施するための最良の形態】
【００８２】
本発明の一実施の形態について、図１を用いて説明すれば、以下のとおりである。図１は、本実施の形態の表示装置１０の概略構成を示す断面図である。
【００８３】
（全体構成）
図１に示すように、本実施の形態の表示装置１０には、表示パネル２０と、表示パネル２０の前面に設けられた表示バリアパネル３０と、前記表示パネル２０の裏面に設けられた光源４５とが備えられている。
【００８４】
そして、本実施の形態の表示装置１０では、前記表示パネル２０と表示バリアパネル３０との組合せによって、異なる２方向に異なる情報を同時に表示するデュアルビュー表示と、１方向に情報を表示するシングルビュー表示を可能としている。さらに、本実施の形態の表示装置１０では、前記表示バリアパネル３０のみを用いてのシングルビュー表示が可能である。
【００８５】
言い換えると、デュアルビュー表示又はシングルビュー表示を行っていた場合に、前記表示パネル２０の表示困難になると、前記表示バリアパネル３０と表示パネル２０との組合せによって、表示バリアパネル３０のみによるシングルビュー表示に切り換えることができる。その結果、本実施の形態の表示装置１０のみで（他の表示装置を用いることなく）、フェールセーフを実現することが可能となる。すなわち、前記従来技術のように、複数の表示装置１０を必要とすることなく、フェールセーフを実現することができる。以下、図を用いて説明する。
【００８６】
（表示バリアパネルの構成）
図１に示すように、本実施の形態の表示バリアパネル３０は、第１透明基板３１と、前記第１透明基板３１に対向する第２透明基板３２と、前記第１透明基板３１と前記第２透明基板３２との間に配置されたコレステリック液晶層３３とを備える。そして、本実施の形態では、滴下注入法によってコレステリック液晶が注入されることによって、コレステリック液晶層３３を構成している。
【００８７】
そして、前記表示バリアパネル３０は、前記第１透明基板３１が、前記表示パネル２０に面するように、前記表示パネル２０の前面に配置されている。
【００８８】
（平面配列）
詳しくは、前記コレステリック液晶層３３は、ストライプ状の微小なセル４０に分割されている。このセル４０は、平面視において、長方形状のコレステリック液晶層３３の短辺方向に対して平行な配列を有するように配設されている。
【００８９】
そして、前記セル４０は、光吸収機能が備えられた光吸収部としての光吸収セル４０ａと、光吸収機能が備えられていない光非吸収セル４０ｂとに分類される。そして、前記光吸収セル４０ａと、光非吸収セル４０ｂとは、２本ずつ交互にストライブ状に配置されている。
【００９０】
そして、表示パネル２０の中で、前記光吸収セル４０ａが設けられている領域が光吸収層形成領域Ａとなり、他方、前記光非吸収セル４０ｂが設けられている領域が光吸収層非形成領域Ｂとなる。すなわち、前記の構成によれば、光吸収層形成領域Ａと、光吸収層非形成領域Ｂとが交互に設けられている。
【００９１】
（断面形状と下配線）
詳しくは、前記光吸収セル４０ａには、その内壁に光吸収層４３が設けられている。すなわち、前記光吸収セル４０ａにおける前記第１透明基板３１には、底部となる光吸収層４３が短冊形状に設けられている。さらに、光吸収層４３は、短冊形状の底部の長辺方向における両端辺及び短冊の幅方向の中心部分に、その長辺方向の全辺にわたる長さで、前記第１透明基板３１に対して垂直方向に、前記底部が設けられた第１透明基板３１と対向する第２透明基板３２に接する高さまで設けられている。すなわち、前記光吸収層４３は、前記底部に対する壁部として設けられている。
【００９２】
断面形状の観点から説明すると、表示装置１０の断面形状を示す図１においては、光吸収セル４０ａの４辺中の３辺に前記光吸収層４３が設けられており、その結果、前記光吸収セル４０ａは、前記光吸収層４３に囲まれることによっておよそ凹形状となっている。
【００９３】
そして、前記構成によって、光吸収層非形成領域Ｂ内のコレステリック液晶層３３は、前記光吸収層４３によって挟まれる形となっている。
【００９４】
さらに、前記セル４０の底部（凹形状の光吸収セル４０ａの底部、及び、光非吸収セル４０ｂの底部）には、第１透明電極３４が設けられている。この第１透明電極３４は、前記第１透明基板３１のほぼ全面にわたって設けられており、その平面視における形状は、前記ストライプ状に配設されたセル４０の配列に対応して、およそ長方形状であって、表示バリアパネル３０の短辺に平行なストライプ状に配設されている。
【００９５】
（上配線）
そして、前記第１透明基板３１と対向する第２透明基板３２には、前記第１透明電極３４と直交するようなストライプ状の第２透明電極３５が所定の間隔で形成されている。すなわち、およそ長方形状の表示バリアパネル３０の長辺に平行なストライプ形状となっている。
【００９６】
（セルのＲＧＢ）
つぎに、前記セル４０の詳細について説明する。
【００９７】
前記の通り、表示バリアパネル３０のコレステリック液晶層３３は、複数個のストライプ状のセル４０に分割されている（図１参照）。そして、前記複数個のセル４０は、赤（Ｒ）色を表示可能なセル４０と、緑（Ｇ）色を表示可能なセル４０と、青（Ｂ）色を表示可能なセル４０とに分類されている。
【００９８】
詳しくは、図３のＣＬｒ１・ＣＬｒ２・ＣＬｒ３・ＣＬｒ４は、各々、赤色表示が可能なセル４０を示し、同様に、ＣＬｇ１・ＣＬｇ２・ＣＬｇ３・ＣＬｇ４は、緑色表示が可能なセル４０を示し、ＣＬｂ１・ＣＬｂ２・ＣＬｂ３・ＣＬｂ４は、青色表示が可能なセル４０を示す。
【００９９】
そして、それぞれのセル４０におけるコレステリック液晶層３３には、それぞれの表示色に対応した光吸収物質としての２色性色素が添加されている。そして、この２色性色素の光吸収によって、所望の色（赤、緑、青）を表示することが可能となる。
【０１００】
ここで、各セル４０の色表示については、光吸収層非形成領域Ｂを形成する前記光非吸収セル４０ｂの表示色と、光吸収層非形成領域Ｂを挟む光吸収層形成領域Ａを形成する前記光吸収セル４０ａの表示色とは、同じ表示色となっている。
【０１０１】
（セルの制御）
そして、前記セル４０は、セル４０に含まれるコレステリック液晶層３３、具体的には、セル４０に含まれるコレステリック液晶に対する印加電圧を制御することによって、光を透過するフォーカルコニック配向状態と、特定色の光を選択反射するプレーナ配向状態と、弱い散乱を受けることなく光が透過するホメオトロピック配向状態のうちの、いずれかの状態にすることが可能である。
【０１０２】
ここで、前記プレーナ配向状態とフォーカルコニック配向状態とは、前記コレステリック液晶層３３に電圧を印加しなくても、安定して存在することが可能である。
【０１０３】
そして、前記プレーナ配向状態又はフォーカルコニック配向状態から、第１透明電極３４及び第２透明基板３２を介してコレステリック液晶層３３に印加される電圧を高くしていくと、コレステリック液晶は、ホメオトロピック配向状態となる。
【０１０４】
そして、コレステリック液晶がホメオトロピック配向となった状態で、コレステリック液晶層３３に印加する電圧を急激に０Ｖとすると、コレステリック液晶は、プレーナ配向状態へと変化する。
【０１０５】
一方、前記ホメオトロピック配向状態から、コレステリック液晶層３３に印加する電圧を徐々に低くしながら、電圧を０Ｖにすると、コレステリック液晶は、フォーカルコニック配向状態へと変化する。
【０１０６】
そして、プレーナ配向状態及びフォーカルコニック配向状態の場合には、前記２色性色素の光吸収により、所望の色（赤、緑、青）を表示することが可能となる。
【０１０７】
一方、ホメオトロピック配向状態の場合は、コレステリック液晶層３３は透明となり、前記表示パネル２０から出力された光の色がそのまま、表示装置１０から出射される。すなわち、表示パネル２０に表示された内容が、表示装置１０の観者は、前記表示パネル２０に表示された表示内容そのものを観ることができる（図１の矢印参照）。以下、説明する。
【０１０８】
なお、前記コレステリック液晶層３３に印加する電圧や、印加電圧のパルス幅を制御することによって、いわゆる中間調を表示することもできる。
【０１０９】
【表１】
2008224910.tif 000003
【０１１０】
表１は、本実施の形態の表示装置１０における表示モードを示す表である。
【０１１１】
以下、表１に記載された順に、各々の表示モードについて説明する。
【０１１２】
（シングルビュー表示）
本実施の形態の表示装置１０におけるシングルビュー表示には、３つの方法がある。以下、順に説明する。
【０１１３】
（第１のシングルビュー表示）
本実施の形態の表示装置１０で第１のシングルビュー表示を行う場合について、図２に基づいて説明する。図２は、表示装置１０の概略構成を示す断面図である。
【０１１４】
図２に示すように、表示装置１０で第１のシングルビュー表示を行う場合には、前記凹形状を有する光吸収層４３が備えられた光吸収セル４０ａ内のコレステリック液晶、及び、光吸収層４３が備えられていない光非吸収セル４０ｂ内のコレステリック液晶を、ともにプレーナ配向状態（特定色の光を選択反射する配向状態）に変化させ、表示バリアパネル３０のみによる反射表示を行う。
【０１１５】
なお、表示パネル２０から出射される光は、前記表示バリアパネル３０のコレステリック液晶層３３で反射されたり、光吸収層形成領域Ａを形成する光吸収セル４０ａの光吸収層４３によって吸収されるため表示には寄与しない。
【０１１６】
この第１のシングルビュー表示は、表示装置１０に備えられた光源４５に異常が発生するなどの理由で、表示パネル２０による表示が困難となった場合に、フェールセーフを実現するために用いられる。
【０１１７】
（第２のシングルビュー表示）
つぎに、第２のシングルビュー表示について説明する。
【０１１８】
表示装置１０で第２のシングルビュー表示を行う場合には、前記凹形状を有する光吸収層４３が備えられた光吸収セル４０ａ内のコレステリック液晶、及び、光吸収層４３が備えられていない光非吸収セル４０ｂ内のコレステリック液晶を、ともにフォーカルコニック配向状態（入射光がコレステリック液晶層３３を透過する配向状態）、又は、ホメオトロピック配向状態（弱い散乱を受けることなく入射光がコレステリック液晶層３３を透過する配向状態）の少なくともいずれか一方に変化させる。
【０１１９】
前記構成によって、前記表示パネル２０からの出射光のうち、その一部は、前記光吸収層非形成領域Ｂを形成する光非吸収セル４０ｂを介して、表示装置１０の外部に出射される。他方、前記表示パネル２０からの出射光のうちの残る光は、光吸収層形成領域Ａを形成する光吸収セル４０ａの光吸収層４３によって吸収されて、表示装置１０外部への出射が阻止される。
【０１２０】
ここで、光吸収層非形成領域Ｂの直下に配置される２つの画素が、同じ情報を同時に表示する場合には、表示装置１０によるシングルビュー表示が可能となる。
【０１２１】
すなわち、図１に示すように、表示パネル２０から出射される光のうち、表示バリアパネル３０を介して出力される光は、図１のＲ１・Ｇ１・Ｂ１の矢印に示される第１の方向と、Ｒ２・Ｇ２・Ｂ２の矢印に示される第２の方向との、２方向に出射される。そして、前記Ｒ１・Ｇ１・Ｂ１の第１の方向と、Ｒ２・Ｇ２・Ｂ２の第２の方向とに対して、ともに同じ映像が表示される場合、表示装置１０の表示は、シングルビュー表示をなる。
【０１２２】
なお、表示装置１０の外部から表示装置１０へ照射される外光の大部分は、コレステリック液晶層３３を介して光吸収層で吸収される。
【０１２３】
（第３のシングルビュー表示）
つぎに、第２のシングルビュー表示について説明する。表示装置１０で第３のシングルビュー表示を行う場合は、前記凹形状を有する光吸収層４３が備えられた光吸収セル４０ａ内のコレステリック液晶をプレーナ配向状態（特定色の光を選択反射する配向状態）に変化させて反射表示を行い、他方、光吸収層４３が備えられていない光非吸収セル４０ｂ内のコレステリック液晶を、フォーカルコニック配向状態（入射光がコレステリック液晶層３３を透過する配向状態）に変化させる。
【０１２４】
前記構成によって、表示パネル２０からの出射光のうち、その一部分は、光吸収層非形成領域Ｂを介して表示装置１０の外部に出射され、他方は光吸収層形成領域Ａにおける光吸収層４３によって吸収され、表示装置１０の外部への出射が阻止される。ここで、光吸収層非形成領域Ｂの直下に配置される２つの画素が、同じ情報を同時に表示すれば、表示装置１０によるシングルビュー表示が可能となる。
【０１２５】
（デュアルビュー表示）
つぎに、本実施の形態の表示装置１０でデュアルビュー表示を行う場合について説明する。前記図１に示すように、表示装置１０でデュアルビュー表示を行う場合は、前記凹形状を有する光吸収層４３が備えられた光吸収セル４０ａ内のコレステリック液晶と、光吸収層４３が備えられていない光非吸収セル４０ｂ内のコレステリック液晶とを、ともにフォーカルコニック配向状態（入射光がコレステリック液晶層３３を透過する配向状態）又はホメオトロピック状態（弱い散乱を受けることなく入射光がコレステリック液晶層３３を透過する配向状態）のうちのいずれか一方に変化させる。
【０１２６】
前記構成によって、表示パネル２０からの出射光のうち、その一部は、光吸収層非形成領域Ｂを介して表示装置１０の外部に出射され、残りの出射光は、光吸収層形成領域Ａにおける光吸収層４３によって吸収され、表示装置１０の外部への出射が阻止される。
【０１２７】
このように、表示バリアパネル３０を視差バリアとして機能させることが可能となり、光吸収層非形成領域Ｂの直下に配置される２つの画素それぞれが、異なる情報を同時に表示すれば、表示装置１０によるデュアルビュー表示が可能となる。
【０１２８】
具体的には、図１に示すように、表示パネル２０から出射される光のうち、表示バリアパネル３０を介して出力される光は、図１のＲ１・Ｇ１・Ｂ１の矢印に示される第１の方向と、Ｒ２・Ｇ２・Ｂ２の矢印に示される第２の方向との、２方向に出射される。そして、前記Ｒ１・Ｇ１・Ｂ１の第１の方向と、Ｒ２・Ｇ２・Ｂ２の第２の方向とに対して、互いに異なる映像が表示される場合、表示装置１０の表示は、デュアルビュー表示となる。
【０１２９】
なお、表示装置１０の外部から照射される光は、コレステリック液晶層３３を介して光吸収層４３で吸収される。
【０１３０】
（表示バリアパネル３０の製造方法）
つぎに、表示バリアパネル３０の製造方法について、図１に基づいて説明する。
【０１３１】
本実施の形態における表示バリアパネル３０の製造においては、まず、第１透明基板３１上に、断面形状が凹形状の光吸収層４３と第１透明電極３４とを形成する。ここで、前記凹形状の光吸収層４３の形成には、フォトリソグラフィの方法を使用することができる。
【０１３２】
詳しくは、前記第１透明基板３１上に感光性高分子物質を塗布し、続いて、前記凹形状の光吸収層４３における側壁部パターン、言い換えると個々のセル４０を区画する隔壁が形成されるように露光・現像する。
【０１３３】
さらに、前記凹形状の光吸収層４３における底部及び側壁部となるように感光性高分子物質を塗布し、露光することによって感光性高分子物質を硬化させる。
【０１３４】
つぎに、前記凹形状の光吸収層４３の底部上（光吸収層形成領域Ａ）、及び、前記光吸収層４３間に位置する第１透明基板３１上（光吸収層非形成領域Ｂ）に第１透明電極３４をストライプ状に形成する。
【０１３５】
一方、前記第１透明基板３１に対向する第２透明基板３２上には、前記第１透明電極３４のストライプと直交する方向に、ストライプ状に第２透明電極３５を形成する。
【０１３６】
つぎに、前記第１透明基板３１、又は、前記第２透明基板３２の少なくとも一方の基板における周辺部に、図示しないシール剤を塗布する。
【０１３７】
つぎに、前記凹形状の光吸収層４３内と、隣接する凹形状の光吸収層４３によって挟まれている部分、すなわち、全てのセル４０（光吸収セル４０ａと光非吸収セル４０ｂ）にコレステリック液晶を滴下注入する。
【０１３８】
つぎに、前記第１透明基板３１と前記第２透明基板３２とを重ねはり合わせる。そして、紫外線照射、又は、加熱を行うことによって、前記シール剤を硬化させ、表示バリアパネル３０を完成させる。
【０１３９】
（表示システム）
つぎに、本実施の形態の表示装置１０が用いられた表示システムについて、インパネ表示システムを例に、図１に基づいて説明する。図３は、本発明の実施の形態を示すものであり、操縦可能な移動体における表示システムの概略構成を示すブロック図である。
【０１４０】
図３に示すように、本実施の形態のインパネ表示システム１は、車両データの入出力システム（車両システム５０）と、ＤＶＤ（Ｄｉｇｉｔａｌ  Ｖｉｄｅｏ  Ｄｉｓｃ）やＴＶ（Ｔｅｌｅｖｉｓｉｏｎ）やＧＰＳ（Ｇｌｏｂａｌ  Ｐｏｓｉｔｉｏｎｉｎｇ  Ｓｙｓｔｅｍ）やオーディオ等のアメニティ系の入出力システム（アメニティシステム６０）と、各種ＣＣＤ（Ｃｏｒｅ  Ｃｕｒｒｅｎｔ  Ｄｒｉｖｅｒ）やセンサ等のセーフティ系の入出力システム（セーフティシステム７０）と、車両データ伝送用の車内ＬＡＮ（Ｌｏｃａｌ  Ａｅａ  Ｎｅｔｗｏｒｋ）８０とを備えている。
【０１４１】
そして、車両データ用車内ＬＡＮ８０には、パワートレイン系車内ＬＡＮ８０ｘとボディ系車内ＬＡＮ８０ｙとがある。
【０１４２】
このパワートレイン系車内ＬＡＮ８０ｘには、エンジン系の制御を担うエレクトリックコントロールユニット（ＥＣＵ）８８ａやギア系の制御を担うエレクトリックコントロールユニット（ＥＣＵ）８８ｂ等が接続されている。
【０１４３】
また、ボディ系車内ＬＡＮ８０ｙには、ドア系の制御を担うエレクトリックコントロールユニット（ＥＣＵ）８９ａやライト系の制御を担うエレクトリックコントロールユニット（ＥＣＵ）８９ｂ、エアコン系の制御を担うエレクトリックコントロールユニット（ＥＣＵ）８９ｃ等が接続されている。
【０１４４】
また、インパネ表示システム１（表示システム）は、表示装置プラットフォーム部９０（表示制御手段）と、表示装置１０とを備えている。
【０１４５】
この表示装置プラットフォーム部９０は、表示装置プラットフォーム用マイコン９１（以下、ＤＰＦ用マイコン９１と称する）と、液晶コントローラー９２と、表示データ用メモリ９３と、電源回路９４と、タイミングジェネレーター９５と、光源制御回路９６とを備えている。
【０１４６】
さらに、インパネ表示システム１には、表示システムの表示プログラムを記憶したコンピュータ読取可能な情報記憶媒体９７が接続されている。
【０１４７】
また、前記車両システム５０は、車両システム用グラフィックディスプレイコントローラ５４（以下、車両システム用ＧＤＣ５４と称する）と、車両システム用プロセッサ（ＣＰＵ（ｃｅｎｔｒａｌ  ｐｒｏｃｅｓｓｉｎｇ  ｕｎｉｔ）、プロセッサ）５５と、車内ＬＡＮ対応の車両システム用マイコン５６とを備えている。
【０１４８】
また、アメニティシステム６０は、アメニティシステム用グラフィックディスプレイコントローラ６７（以下、アメニティシステム用ＧＤＣ６７と称する）と、アメニティシステム用プロセッサ（ＣＰＵ、プロセッサ）６８と、車内ＬＡＮ対応のアメニティシステム用マイコン６９とを備えている。
【０１４９】
また、セーフティシステム７０は、セーフティシステム用グラフィックディスプレイコントローラ７１（以下、セーフティシステム用ＧＤＣ７１と称する）と、セーフティシステム用プロセッサ（ＣＰＵ、プロセッサ）７２と、車内ＬＡＮ対応のセーフティシステム用マイコン７３とを備えている。
【０１５０】
ここで、前記車両システム用マイコン５６は、車両データ伝送用の車内ＬＡＮ８０（パワートレイン系車内ＬＡＮ８０ｘ・ボディ系車内ＬＡＮ８０ｙ）に接続されている。
【０１５１】
また、表示装置プラットフォーム部９０のＤＰＦ用マイコン９１、車両システム５０の車両システム用マイコン５６、アメニティシステム６０のアメニティシステム用マイコン６９、及び、セーフティシステム７０のセーフティシステム用マイコン７３は表示制御データ伝送用の車内ＬＡＮ８１に接続されている。
【０１５２】
この車内ＬＡＮ８１は、ＣＡＮ（Ｃｏｎｔｒｏｌｌｅｒ  Ａｒｅａ  Ｎｅｔｗｏｒｋ）、ＬＩＮ（Ｌｏｃａｌ  Ｉｎｔｅｒｃｏｎｎｅｃｔ  Ｎｅｔｗｏｒｋ）といった車内ＬＡＮであり、画面表示を制御するための画像出力制御データや画面レイアウトデータを規定のフォーマットに合わせて送受するものである。
【０１５３】
また、車両システム用ＧＤＣ５４、アメニティシステム用ＧＤＣ６７、セーフティシステム用ＧＤＣ７１、及び、表示装置プラットフォーム部９０の標準画像インターフェース（図示せず）は画像データ伝送用の車内ＬＡＮ８２に接続されている。
【０１５４】
この車内ＬＡＮ８２は、高速のＬＡＮ（例えば、ＣＡＮ、ＭＯＳＴ、ＩＤＢ１３９４）であり、表示装置プラットフォーム部９０と各システムのＧＤＣ（５４・６７・７１）とをコネクタを介して接続する伝送路である。なお、この車内ＬＡＮ８２を１対１の専用線で形成することもできる。
【０１５５】
（各部の機能）
以下に、車両データ伝送用の車内ＬＡＮ８０、車両システム５０、アメニティシステム６０、セーフティシステム７０の各部の機能について説明する。
【０１５６】
車内ＬＡＮ８０のパワートレイン系車内ＬＡＮ８０ｘには、エンジン系のＥＣＵ８８ａやギア系のＥＣＵ８８ｂ等が接続されている。このエンジン系のＥＣＵ８８ａは、エンジン制御やエンジンにかかる数値データの送信、他のＥＣＵからの制御データの受信等を行う。
【０１５７】
また、ギア系のＥＣＵ８８ｂは、ギア制御やギアにかかる数値データの送信、他のＥＣＵからの制御データの受信等を行う。そして、このパワートレイン系車内ＬＡＮ８０ｘから、車両データとして、警告情報、ウィンカ、スピード、回転数にかかるデータ（実時間での送信と高信頼性が要求されるリアルタイムデータ）が車両システム５０の車両システム用マイコン５６に伝送される。
【０１５８】
一方、車内ＬＡＮ８０のボディ系車内ＬＡＮ８０ｙには、ドア系のＥＣＵ８９ａやライト系のＥＣＵ８９ｂ、エアコン系のＥＣＵ８９ｃ等が接続されている。このドア系のＥＣＵ８９ａは、ドアの開閉信号の送信、他のＥＣＵからの制御データの受信等を行う。また、ライト系のＥＣＵ８９ｂは、ライトのＯＮ／ＯＦＦ信号の送信、他のＥＣＵからの制御データの受信等を行う。また、エアコン系ＥＣＵ８９ｃは、エアコン制御やエアコンにかかるデータの送信、他のＥＣＵからの制御データの受信等を行う。そして、このボディ系車内ＬＡＮ８０ｙから、車両データとして、ドアの開閉、ライト、エアコン制御等にかかるデータが車両システム５０の車両システム用マイコン５６に伝送される。なお、これらのデータは、低速で伝送しても、問題が生じにくいデータである。
【０１５９】
また、車両システム５０の車両システム用マイコン５６は、ＣＡＮ、ＬＩＮ、ＦｌｅｘＲａｙ等自動車特有のＬＡＮ（ローカルエリア・ネットワーク）のインターフェースを有するマイクロコントローラである。
【０１６０】
この車両システム用マイコン５６は、車両データ伝送用の車内ＬＡＮ８０から各種の車両データ（パワートレイン系やボディ系の車両データ）を受信し、これを車両システム用プロセッサ５５に送信する。
【０１６１】
また、車両システム用マイコン５６は、車内ＬＡＮ８０から受信した各種の車両データ（直進、停止、右折、左折、バック、走行スピード等にかかるデータ）を表示制御データ伝送用の車内ＬＡＮ８１を介して、アメニティシステム用マイコン６９及びセーフティシステム用マイコン７３、並びに、表示装置プラットフォーム部９０のＤＰＦ用マイコン９１に送信する。
【０１６２】
さらに、車両システム用マイコン５６は、車両システム用プロセッサ５５で生成された画面レイアウトデータ及び画像出力制御データを表示制御データ伝送用の車内ＬＡＮ８１に送出する。
【０１６３】
また、車両システム５０の車両システム用プロセッサ５５は、車両システム用マイコン５６を介して送られてきた各種の車両データを受信して車両システム用ＧＤＣ５４を制御し、画像データ（スピードメータ、タコメータ、シフトレバー位置等の画像に対応する画像データ）を生成する。
【０１６４】
さらに、車両システム用プロセッサ５５は、各画像の大きさ、位置関係、重ね合わせ等を決定するための画面レイアウトデータと、画像やレイアウトの切替えを制御する画像出力制御データとを生成する。
【０１６５】
車両システム用ＧＤＣ５４は、車両システム用プロセッサ５５の命令によって２次元あるいは３次元のグラフィック描画を行い、生成された画像データを画像データ伝送用の車内ＬＡＮ８２に送出する。
【０１６６】
アメニティシステム６０のアメニティシステム用マイコン６９は、ＣＡＮ、ＬＩＮ、ＦｌｅｘＲａｙ等自動車特有のＬＡＮのインターフェースを有するマイクロコントローラであり、車内ＬＡＮ８１を介して車両システム用マイコン５６から送信された車両データを受信し、これをアメニティシステム用プロセッサ６８に送信する。
【０１６７】
さらに、アメニティシステム用マイコン６９は、アメニティシステム用プロセッサ６８で生成された画面レイアウトデータ及び画像出力制御データを、表示制御データ伝送用の車内ＬＡＮ８１に送出する。
【０１６８】
アメニティシステム６０のアメニティシステム用プロセッサ６８は、インターフェース６５を介してＤＶＤ（Ｄｉｇｉｔａｌ  Ｖｉｄｅｏ  Ｄｉｓｃ）あるいはＴＶ（Ｔｅｌｅｖｉｓｉｏｎ）から送られたデータあるいはＳＣＩ６６を介してＧＰＳ（Ｇｌｏｂａｌ  Ｐｏｓｉｔｉｏｎｉｎｇ  Ｓｙｓｔｅｍ）やオーディオから送られたデータと、アメニティシステム用マイコン６９を介して送られてきた車両データとを受けて、アメニティシステム用ＧＤＣ６７を制御し、画像データ（ナビ画像、ＴＶ画像、ＤＶＤ画像等に対応する画像データ）を生成する。このナビ画像に対応する画像データは、アメニティシステム用プロセッサ６８がＤＶＤからの地図データと、ＧＰＳからの車両位置情報とを組み合わせることによって生成される。
【０１６９】
さらに、アメニティシステム用プロセッサ６８は、各画像の大きさや位置関係等を決定するための画面レイアウトデータと、画像やレイアウトの切替えを制御する画像出力制御データとを生成する。
【０１７０】
アメニティシステム用ＧＤＣ６７は、アメニティシステム用プロセッサ６８の命令によって２次元あるいは３次元のグラフィック描画を行い、生成された画像データを画像データ伝送用の車内ＬＡＮ８２に送出する。
【０１７１】
セーフティシステム７０のセーフティシステム用マイコン７３は、ＣＡＮ、ＬＩＮ、ＦｌｅｘＲａｙ等自動車特有のＬＡＮのインターフェースを有するマイクロコントローラであり、車内ＬＡＮ８１を介して車両システム用マイコン５６から送信された車両データを受信し、これをセーフティシステム用プロセッサ７２に送信する。
【０１７２】
さらに、セーフティシステム用マイコン７３は、セーフティシステム用プロセッサ７２で生成された画面レイアウトデータ及び画像出力制御データを、表示制御データ伝送用の車内ＬＡＮ８１に送出する。
【０１７３】
セーフティシステム７０のセーフティシステム用プロセッサ７２は、インターフェース４８を介して正面ＣＣＤ（Ｃｈａｒｇｅ  Ｃｏｕｐｌｅｄ  Ｄｅｖｉｃｅ）や後方ＣＣＤ、各種センサから送られたデータと、セーフティシステム用マイコン７３を介して送られてきた車両データとを受けて、セーフティシステム用ＧＤＣ７１を制御し、画像データ（各種ＣＣＤ画像等に対応する画像データ）を生成する。
【０１７４】
具体的には、各種のＣＣＤからの入力画像を用いて障害物検知や白線検知等の安全検知処理等を行い、障害物の警告画像データ等を生成する。さらに、セーフティシステム用プロセッサ７２は、各画像の大きさや位置関係等を決定するための画面レイアウトデータと、画像やレイアウトの切替えを制御する画像出力制御データとを生成する。ここでは、ＣＣＤ画像に警告画像を重ねて表示するようなレイアウトも可能である。
【０１７５】
セーフティシステム用ＧＤＣ７１は、セーフティシステム用プロセッサ７２の命令によって２次元あるいは３次元のグラフィック描画を行い、生成された画像データを画像データ伝送用の車内ＬＡＮ８２に送出する。
【０１７６】
インパネ表示システム１のＤＰＦ用マイコン９１は、ＣＡＮ、ＬＩＮ、ＦｌｅｘＲａｙ等自動車特有のＬＡＮのインターフェースを有するマイクロコントローラであり、車両システム用マイコン５６、アメニティシステム用マイコン６９およびセーフティシステム用マイコン７３から車内ＬＡＮ８１に送出された各画面レイアウトデータおよび画像出力制御データを受信し、これを液晶コントローラー９２に入力する。また、ＤＰＦ用マイコン９１は、車両システム用マイコン５６から車内ＬＡＮ８１に送出された車両データを受信し、これを液晶コントローラー９２に入力する。
【０１７７】
（表示装置）
インパネ表示システム１の表示装置１０は、ドライバＩＣや光源等を含む液晶表示パネルモジュールである。タイミングジェネレーター９５は、液晶表示パネルに特有の信号を生成する。また、光源制御回路９６は表示装置１０の光源を制御する。電源回路９４は、表示装置１０に電源電圧を与える。表示データ用メモリ９３は、画像データを一時的に記憶／蓄積する。また、この表示データ用メモリ９３は、画像処理等を実行する際の作業用としても用いられる。
【０１７８】
液晶コントローラー９２は、ＭＯＳＴ、ＩＤＢ１３９４等といった画像データ用ＬＡＮ、又はＬＶＤＳ（Ｌｏｗ−Ｖｏｌｔａｇｅ  Ｄｉｆｆｅｒｅｎｔｉａｌ  Ｓｉｇｎａｌｉｎｇ）、ＤＶＩ（Ｄｉｇｉｔａｌ  Ｖｉｓｕａｌ  Ｉｎｔｅｒｆａｃｅ）、ＨＤＭＩ（Ｈｉｇｈ  Ｄｅｆｉｎｉｔｉｏｎ  Ｍｕｌｔｉｍｅｄｉａ  ｉｎｔｅｒｆａｃｅ）等といった専用線から入力される画像データを受信し、ＤＰＦ用マイコン９１から入力された画面レイアウトデータに基づいて、液晶コントローラー９２に入力された各システム（車両システム５０、アメニティシステム６０、セーフティシステム７０）で生成された各種画像データを表示データ用メモリ９３の所定領域に書き込む。表示データ用メモリ９３から画像データを読み出し、ＤＰＦ用マイコン９１から入力された画面レイアウトデータに基づいて、各画像を表示装置１０に一覧表示するための表示用データを生成する。この表示用データの最適化（画質改善）を行い表示装置１０に出力される。これにより、車両の走行状態に応じ、表示装置１０の所定位置（画面レイアウト情報に従った位置）に、各システム（車両システム５０、アメニティシステム６０及びセーフティシステム７０）で生成された画像が各システムで生成されたレイアウトにて表示される。
【０１７９】
表示装置１０の表示用データは以下のように生成される。まず、エンジン系のＥＣＵ８８ａ及びギア系のＥＣＵ８８ｂから車両データが、車両システム用マイコン５６に送られ、さらに、この車両システム用マイコン５６から車内ＬＡＮ８１を介して、アメニティシステム用マイコン６９及びセーフティシステム用マイコン７３に送信される。また、前記車両データは、車両システム用マイコン５６から表示装置プラットフォーム部９０のＤＰＦ用マイコン９１にも送られる。
【０１８０】
入力手段８３は、ジョイスティック、トラックボール、タッチパネル、操作キー及び音声のうちの少なくともいずれかよりなるインターフェースであり、表示装置１０に表示されたアイコンや画像又は文字などの情報より所望の情報を選択する場合に用いる。入力手段８３によって入力された情報は、入力情報用プロセッサ８４に送信される。入力情報用プロセッサ８４では、入力情報に基づく制御信号を生成する。入力情報用プロセッサ８４は信号線８５を介して車内ＬＡＮ８０接続される。
【０１８１】
（フェールセーフ）
以下、本実施の形態の表示装置１０が用いられた表示システムにおけるフェールセーフについて、図４に基づいて説明する。図４は、表示システムの表示フローの概略構成を示すフロー図である。
【０１８２】
図４に示すように、本実施の形態の表示システムにおいては、表示用データを表示することが困難な表示異常領域が表示パネル２０に発生した場合に、表示バリアパネル３０で表示用データを表示する。以下、詳しく説明する。
【０１８３】
（Ｓ１）
前記表示システムにおいては、まず、操縦可能な移動体に搭載された表示装置１０に備えられた表示パネル２０に、表示用データの表示困難な表示異常領域が発生しているか否かの異常判定が行われる（図４のＳ１：表示状態判断ステップ）。この表示状態判断は、表示状態判断部、例えば、図３に示す表示システムにおける表示装置プラットフォーム部９０に含まれる液晶コントローラー９２によって行われる。
【０１８４】
（Ｓ２−１）
そして、表示パネル２０に前記表示異常領域が発生していない場合は、Ｓ１からＳ２−１にステップが移り、表示パネル２０を用いた表示装置１０による表示用データの表示が行われる。その際の表示モードは、前記第１のシングルビュー表示、第２のシングルビュー表示、第３のシングルビュー表示、及び、デュアルビュー表示のうちのいずれかによって行われる（図４のＳ２−１）。そして、選択された表示モードに基づいて、図３に示す液晶コントローラー９２が表示装置１０を制御し、表示データの表示を行う。
【０１８５】
（Ｓ２−２）
表示パネル２０に表示異常領域が発生した場合は、Ｓ１からＳ２−２にステップが移り、表示バリアパネル３０のみが用いられた表示装置１０による表示用データの表示（第１のシングルビュー表示）が行われる（図４のＳ２−２：表示制御ステップ）。このとき、選択された表示モードに基づいて、前記Ｓ２−１と同様に、図３の液晶コントローラー９２が表示装置１０を制御し、表示データの表示を行う。具体的には、例えば、表示パネル２０に本来表示される表示データに基づいて、画素数変換処理など必要な処理を行い、表示バリアパネル３０に適合するように表示データを生成する。そして、この表示データによって表示バリアパネル３０に画像を表示させる。このような表示制御は、表示制御部、例えば、図３に示す表示システムにおける表示装置プラットフォーム部９０に含まれる液晶コントローラー９２によって行われる。
【０１８６】
（Ｓ３）
つぎに、前記表示装置１０による表示を継続して行うか否かの判定を行う（図４のＳ３）。具体的には、入力手段８３用いた表示終了指示、または、操縦可能な移動体の停止が行われた場合など、前記表示装置１０による表示が終了する。他方、継続して表示装置１０による表示を行う必要がある場合には、Ｓ３からＳ１にステップが戻り、再び、表示パネル２０に、表示用データの表示困難な表示異常領域が発生したか否かについて異常判定が行われる。これによって、表示状態の判断が繰り返し実行されるので、最初の前記判断が行われた後に、表示パネルの表示の異常が生じた場合であっても、観者は、継続して必要な情報を得ることができる。
【０１８７】
従来はフェールセーフを実現するために複数の表示手段を搭載しており、表示不良となった表示手段で表示されていた映像を、映像の表示が可能な他の表示手段を用いて表示していた。このような従来の構成では、複数の表示手段が必要となるばかりでなく、これまで見ていた映像が表示される位置が変わるため、他の位置の表示手段を見る必要が生じていた。その際、前記他の表示手段の位置によっては、操縦可能な移動体の操縦中に、前記映像を見るために要する視線の移動距離が、従来より大きくなる場合があった。このため、従来のフェールセーフでは、表示手段利便性が低下する場合があった。
【０１８８】
この点、本発明では、フェールセーフ機能が働く前後において、情報を得る位置、すなわち、情報が表示される位置は変わらない。したがって、フェールセーフ機能を搭載することによる利便性の低下を防止することが可能性である。
【０１８９】
なお、前記表示システムによる各処理ステップは、図示しないＣＰＵなどの演算手段が、ＲＯＭ（Ｒｅａｄ  Ｏｎｌｙ  Ｍｅｍｏｒｙ）やＲＡＭ（Ｒａｎｄｏｍ  Ａｃｃｅｓｓ  Ｍｅｍｏｒｙ）などの記憶手段に記憶されたプログラムを実行し、図３に示す、表示装置１０などの出力手段を制御することによって実現することができる。
【０１９０】
したがって、これらの手段を有するマイクロコンピュータが、前記プログラムを記録する情報記憶媒体９７を読み取り、当該プログラムを実行することのみによって、本実施のインパネ表示システムの各種機能及び各種処理を実現することができる。また、前記プログラムをリムーバブルな記録媒体に記録することによって、任意のコンピュータ上で前記の各種機能及び各種処理を実現することもできる。
【０１９１】
この情報記憶媒体９７としては、マイクロコンピュータで処理を行うために図示しないメモリ、例えばＲＯＭのようなものがプログラムメディアであっても良いし、また、図示していないが外部記憶媒体としてプログラム読み取り装置が設けられ、そこに記録媒体を挿入することにより読み取り可能なプログラムメディアであっても良い。
【０１９２】
また、いずれの場合でも、格納されているプログラムは、マイクロプロセッサがアクセスして実行される構成であることが好ましい。さらに、プログラムを読み出し、読み出されたプログラムは、マイクロコンピュータのプログラム記憶エリアにダウンロードされて、そのプログラムが実行される方式であることが好ましい。なお、このダウンロード用のプログラムはあらかじめ本体装置に格納されているものとする。
【０１９３】
また、前記プログラムメディアとしては、本体と分離可能に構成される記録媒体であり、磁気テープやカセットテープ等のテープ系、フレキシブルディスクやハードディスク等の磁気ディスクやＣＤ（Ｃｏｍｐａｃｔ  Ｄｉｓｃ）・ＭＯ（Ｍａｇｎｅｔｏ−Ｏｐｔｉｃａｌ  Ｍｅｍｏｒｙ）・ＭＤ（Ｍｉｎｉ  Ｄｉｓｃ）・ＤＶＤ（Ｄｉｇｉｔａｌ  Ｖｉｄｅｏ  Ｄｉｓｃ）等のディスクのディスク系、ＩＣ（Ｉｎｔｅｇｒａｔｅｄ  Ｃｉｒｃｕｉｔ）カード（メモリカードを含む）等のカード系、あるいはマスクＲＯＭ（Ｒｅａｄ  Ｏｎｌｙ  Ｍｅｍｏｒｙ）、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）、フラッシュＲＯＭ（Ｒｅａｄ  Ｏｎｌｙ  Ｍｅｍｏｒｙ）等による半導体メモリを含めた固定的にプログラムを担持する記録媒体等がある。
【０１９４】
また、インターネットを含む通信ネットワークを接続可能なシステム構成であれば、通信ネットワークからプログラムをダウンロードするように流動的にプログラムを担持する記録媒体であることが好ましい。
【０１９５】
さらに、このように通信ネットワークからプログラムをダウンロードする場合には、そのダウンロード用のプログラムはあらかじめ本体装置に格納しておくか、あるいは別な記録媒体からインストールされるものであることが好ましい。
【０１９６】
以上のように、本実施の形態の表示装置では、移動体の情報を含む複数の情報を画像として表示する表示装置において、表示パネルの一部分に異常が発生した場合に、その部分に表示されている情報を、表示バリアパネルに表示するようにする。
【０１９７】
具体的には、例えば、操縦可能な移動体に搭載された表示パネルと前記表示バリアパネルとを備える表示装置と、この移動体の情報を含む複数の情報を画像として前記表示装置へ表示すべく制御を行う制御手段とを備えた表示システムであって、前記表示パネルの一部に表示異常が生じた場合に、前記表示パネルに表示されていた情報を、前記表示バリアパネルに表示するよう制御する制御手段を有する表示システムとする。
【０１９８】
なお、本発明は上述した実施の形態に限定されるものではなく、請求項に示した範囲で種々の変更が可能であり、実施の形態に開示された技術的手段を適宜組み合わせて得られる実施形態についても本発明の技術的範囲に含まれる。
【０１９９】
本発明によれば、前述の通り、操縦可能な移動体に搭載された表示手段とバリア手段とを備える表示装置と、この移動体の情報を含む複数の情報を画像として表示装置へ表示すべく制御を行う制御手段とを備えた表示システムは、表示手段の一部に表示異常が生じた場合に、表示手段に表示されていた情報を、バリア手段で表示させるため、フェールセーフを同一の表示装置において実現することが可能となる。
【産業上の利用可能性】
【０２００】
本発明の表示装置は、情報機器用表示装置、及び、ＴＶや車や船舶等の操縦可能な移動体における表示装置として広く利用可能である。
【図面の簡単な説明】
【０２０１】
【図１】本発明の実施の形態を示すものであり、表示装置の概略構成を示す断面図である。
【図２】本発明の実施の形態を示すものであり、表示装置の概略構成を示す断面図である。
【図３】本発明の実施の形態を示すものであり、操縦可能な移動体における表示システムの概略構成を示すブロック図である。
【図４】本発明の実施の形態を示すものであり、表示システムの表示フローの概略構成を示すフロー図である。
【図５】従来技術を示すものであり、レンズ方式の表示装置の概略構成を示す断面図である。
【図６】従来技術を示すものであり、バリア方式の表示装置の概略構成を示す断面図である。
【図７】従来技術を示すものであり、バリア方式の表示装置の概略構成を示す断面図である。
【図８】従来技術を示すものであり、車両のインパネ表示システムの概略構成を示すブロック図である。
【図９】従来技術を示すものであり、車両のインパネ表示システムの概略構成を示すブロック図である。
【符号の説明】
【０２０２】
１    インパネ表示システム
１０    表示装置
２０    表示パネル
３０    表示バリアパネル
３１    第１透明基板
３２    第２透明基板
３３    コレステリック液晶層
３４    第１透明電極
３５    第２透明電極
４０    セル
４０ａ  光吸収セル
４０ｂ  光非吸収セル
４５    光吸収層  （光吸収部）
４５    光源
５０    車両システム
５４    車両システム用グラフィックディスプレイコントローラ
５５    車両システム用プロセッサ
５６    車両システム用マイコン
６０    アメニティシステム
６５    インターフェース
６６    ＳＣＩ
６７    アメニティシステム用グラフィックディスプレイコントローラ
６８    アメニティシステム用プロセッサ
６９    アメニティシステム用マイコン
７０    セーフティシステム
７１    セーフティシステム用グラフィックディスプレイコントローラ
７２    セーフティシステム用プロセッサ
７３    セーフティシステム用マイコン
７８    インターフェース
８０    ＬＡＮ
８０ｘ  パワートレイン系車内ＬＡＮ
８０ｙ  ボディ系車内ＬＡＮ
８１    車内ＬＡＮ
８２    車内ＬＡＮ
８３    入力手段
８４    入力情報用プロセッサ
８５    信号線
８８ａ  エレクトリックコントロールユニット
８８ｂ  エレクトリックコントロールユニット
８９ａ  エレクトリックコントロールユニット
８９ｂ  エレクトリックコントロールユニット
８９ｃ  エレクトリックコントロールユニット
９０    表示装置プラットフォーム部
９１    表示装置プラットフォーム用マイコン
９２    液晶コントローラー  （表示状態判断部、表示制御部）
９３    表示データ用メモリ
９４    電源回路
９５    タイミングジェネレーター
９６    光源制御回路
９７    情報記憶媒体
１１０    表示装置
１２０    液晶表示パネル
１２５  左表示用画素
１２７  右表示用画素
１３０    レンズ
１３５    バリア層
１４０    光源
１５０    バリア膜
１５３    透明基板
１５５    透明電極
１５７    被覆膜
１６１    移動体用表示装置
１６２    移動体用表示装置
１６３    移動体用表示装置
１６４    液晶表示パネル
１６５    液晶表示パネル
１６６    液晶表示パネル
１６７    光源
１６８    光源
１６９    光源
１７０    フォトセンサ
１７１    フォトセンサ
１７２    フォトセンサ
１７３    切替え手段
１７４    切替え手段
１７５    切替え手段
１７６    制御回路
１７７    映像ユニット
１８０    移動体用表示装置
１８１    移動体用表示装置
１８２    移動体用表示装置
１８３    液晶表示パネル
１８４    液晶表示パネル
１８５    液晶表示パネル
Ａ      光吸収層形成領域
Ｂ      光吸収層非形成領域
【図１】
2008224910.tif 000004
【図２】
2008224910.tif 000005
【図３】
2008224910.tif 000006
【図４】
2008224910.tif 000007
【図５】
2008224910.tif 000008
【図６】
2008224910.tif 000009
【図７】
2008224910.tif 000010
【図８】
2008224910.tif 000011
【図９】
2008224910.tif 000012